(57)【要約】      （修正有）【課題】ユーザの生体信号をモニタリングするウェラブル装置並びにウェラブルセンサによる生体信号をモニタリングする方法及びインタラクション部による生体信号をモニタリングする方法を提供する。【解決手段】ユーザの生体信号をモニタリングするウェラブルセンサ１１０と、ウェラブルセンサ１１０との接続に応答してウェラブルセンサ１１０に充電電力を供給するインタラクション部１２０と、を備える。【選択図】図１
2016077879.tif 000002
【特許請求の範囲】
【請求項１】
ユーザの生体信号をモニタリングするウェラブル装置であって、
ユーザの生体信号をモニタリングするウェラブルセンサと、
前記ウェラブルセンサとの接続に応答して該ウェラブルセンサに充電電力を供給するインタラクション部と、を備えることを特徴とするウェラブル装置。
【請求項２】
前記インタラクション部は、前記ウェラブルセンサとの接続に応答して該ウェラブルセンサによってモニタリングされた生体信号を処理し、該生体信号が処理された結果をユーザに提供することを特徴とする請求項１に記載のウェラブル装置。
【請求項３】
前記ウェラブルセンサは、所定の電力閾値よりも少ない電力を消耗して前記生体信号を処理する処理部を含むことを特徴とする請求項１に記載のウェラブル装置。
【請求項４】
前記ウェラブルセンサは、所定の電力閾値よりも少ない電力を消耗して前記生体信号に関するデータを送信する通信部を含むことを特徴とする請求項１に記載のウェラブル装置。
【請求項５】
前記ウェラブルセンサは、該ウェラブルセンサを動作させるための電力を提供するバッテリを含み、
前記バッテリは、前記インタラクション部との接続に応答して該インタラクション部から前記充電電力を受信することを特徴とする請求項１に記載のウェラブル装置。
【請求項６】
前記ウェラブルセンサは、前記バッテリの残量が所定の残量閾値よりも少ないとの検出に応答して、ユーザに充電関連情報を提供することを特徴とする請求項５に記載のウェラブル装置。
【請求項７】
前記インタラクション部は、生体信号に関する演算に要求される処理速度が所定の閾値速度よりも速い場合、及び前記生体信号に関する演算に要求されるメモリが所定の閾値メモリよりも大きい場合のうちの少なくとも１つに応答して動作する処理部を含むことを特徴とする請求項１に記載のウェラブル装置。
【請求項８】
前記インタラクション部は、所定の閾値データ率よりも高いデータ率でデータを送信する通信部を含むことを特徴とする請求項１に記載のウェラブル装置。
【請求項９】
前記インタラクション部は、該インタラクション部を動作させるための電力を提供する前記ウェラブルセンサと異なるバッテリを含み、
前記バッテリは、前記ウェラブルセンサとの接続に応答して該ウェラブルセンサを充電するために前記充電電力を前記ウェラブルセンサに提供することを特徴とする請求項１に記載のウェラブル装置。
【請求項１０】
前記インタラクション部は、
ユーザからの入力を受信するインタフェースと、
前記ユーザからの入力に応答してユーザに該ユーザとのインタラクションに関する情報を提供するディスプレイと、を含むことを特徴とする請求項１に記載のウェラブル装置。
【請求項１１】
前記インタラクション部は、前記ユーザとのインタラクションを提供するための振動モータ、カメラ、及びマイクのうちの少なくとも１つを含むことを特徴とする請求項１に記載のウェラブル装置。
【請求項１２】
前記ウェラブルセンサは、ユーザの身体に該ウェラブルセンサを装着するための装着部を含むことを特徴とする請求項１に記載のウェラブル装置。
【請求項１３】
前記インタラクション部は、前記ウェラブルセンサと着脱自在であることを特徴とする請求項１に記載のウェラブル装置。
【請求項１４】
ウェラブルセンサによる生体信号をモニタリングする方法であって、
前記ウェラブルセンサのバッテリの電力を消耗してユーザの生体信号をモニタリングするステップと、
インタラクション部との接続に応答して該インタラクション部から他の電力を受信するステップと、を有することを特徴とするモニタリング方法。
【請求項１５】
前記インタラクション部との接続に応答して、前記ウェラブルセンサによってモニタリングされた生体信号を前記インタラクション部に送信するステップを更に含むことを特徴とする請求項１４に記載のモニタリング方法。
【請求項１６】
前記生体信号をモニタリングするステップは、所定の電力閾値よりも少ない電力を消耗する処理部を介して前記生体信号を処理するステップを含むことを特徴とする請求項１４に記載のモニタリング方法。
【請求項１７】
前記生体信号をモニタリングするステップは、所定の電力閾値よりも少ない電力を消耗する通信部を介して前記生体信号に関するデータを送信するステップを含むことを特徴とする請求項１４に記載のモニタリング方法。
【請求項１８】
前記ウェラブルセンサの充電残量が所定の残量閾値よりも少ないとの検出に応答して、ユーザに充電関連情報を提供するステップを更に含むことを特徴とする請求項１４に記載のモニタリング方法。
【請求項１９】
インタラクション部による生体信号をモニタリングする方法であって、
ウェラブルセンサとの接続に応答して該ウェラブルセンサから前記生体信号を受信するステップと、
前記受信された生体信号を処理するステップと、
前記ウェラブルセンサとの接続に応答して該ウェラブルセンサに電力を供給するステップと、を有することを特徴とするモニタリング方法。
【請求項２０】
前記受信された生体信号を処理するステップは、生体信号に関する演算に要求される処理速度が所定の閾値速度より速い場合、及び前記生体信号に関する演算に要求されるメモリが所定の閾値メモリよりも大きい場合のうちの少なくとも１つに応答して動作する処理部を介して前記受信された生体信号を処理するステップを含むことを特徴とする請求項１９に記載のモニタリング方法。
【請求項２１】
前記受信された生体信号を処理するステップは、所定の閾値データ率よりも高いデータ率でデータを送信する通信部を介して前記生体信号を処理した結果を送信するステップを含むことを特徴とする請求項１９に記載のモニタリング方法。
【発明の詳細な説明】
【技術分野】
【０００１】
本発明は、生体信号をモニタリングするウェラブル装置並びにウェラブルセンサによる生体信号をモニタリングする方法及びインタラクション部による生体信号をモニタリングする方法に関する。
【背景技術】
【０００２】
近年、ウェラブル装置に対する関心が高まっている。ウェラブル装置は、ユーザが移動環境で自由自在に機器を用いるために小型化及び軽量化して身体又は衣服に着用されるように製造された機器を意味する。そのため、ウェラブル装置は、ユーザがいかなる活動をしている間にも常にユーザと共に存在し、ユーザがいつでも使用可能であり、その度に命令を行ってユーザに情報を提供する。
【０００３】
ウェラブル装置の種類は、衣類型のウェラブル装置、アクセサリー型のウェラブル装置など極めて多様である。また、ウェラブル装置は、ファッション、医療分野などの多様な領域に利用され、ウェラブル装置が用いられる分野は次第に拡大されることが予想される。
【発明の概要】
【発明が解決しようとする課題】
【０００４】
本発明は、上記従来技術に鑑みてなされたものであって、本発明の目的は、ユーザの生体信号をモニタリングするウェラブル装置並びにウェラブルセンサによる生体信号をモニタリングする方法及びインタラクション部による生体信号をモニタリングする方法を提供することにある。
【課題を解決するための手段】
【０００５】
上記目的を達成するためになされた本発明の一態様によるユーザの生体信号をモニタリングするウェラブル装置は、ユーザの生体信号をモニタリングするウェラブルセンサと、前記ウェラブルセンサとの接続に応答して該ウェラブルセンサに充電電力を供給するインタラクション部と、を備える。
【０００６】
前記インタラクション部は、前記ウェラブルセンサとの接続に応答して該ウェラブルセンサによってモニタリングされた生体信号を処理し、該生体信号が処理された結果をユーザに提供し得る。
前記ウェラブルセンサは、所定の電力閾値よりも少ない電力を消耗して前記生体信号を処理する処理部を含み得る。
前記ウェラブルセンサは、所定の電力閾値よりも少ない電力を消耗して前記生体信号に関するデータを送信する通信部を含み得る。
前記ウェラブルセンサは、該ウェラブルセンサを動作させるための電力を提供するバッテリを含み、前記バッテリは、前記インタラクション部との接続に応答して該インタラクション部から前記充電電力を受信し得る。
前記ウェラブルセンサは、前記バッテリの残量が所定の残量閾値よりも少ないとの検出に応答して、前記ユーザに充電関連情報を提供し得る。
前記インタラクション部は、生体信号に関する演算に要求される処理速度が所定の閾値速度よりも速い場合、及び前記生体信号に関する演算に要求されるメモリが所定の閾値メモリよりも大きい場合のうちの少なくとも１つに応答して動作する処理部を含み得る。
前記インタラクション部は、所定の閾値データ率よりも高いデータ率でデータを送信する通信部を含み得る。
前記インタラクション部は、該インタラクション部を動作させるための電力を提供する前記ウェラブルセンサと異なるバッテリを含み、前記バッテリは、前記ウェラブルセンサとの接続に応答して該ウェラブルセンサを充電するために前記充電電力を前記ウェラブルセンサに提供し得る。
前記インタラクション部は、ユーザからの入力を受信するインタフェースと、前記ユーザからの入力に応答してユーザに該ユーザとのインタラクションに関する情報を提供するディスプレイと、を含み得る。
前記インタラクション部は、前記ユーザとのインタラクションを提供するための振動モータ、カメラ、及びマイクのうちの少なくとも１つを含み得る。
前記ウェラブルセンサは、ユーザの身体に該ウェラブルセンサを装着するための装着部を含み得る。
前記インタラクション部は、前記ウェラブルセンサと着脱自在であり得る。
【０００７】
上記目的を達成するためになされた本発明の一態様によるウェラブルセンサによる生体信号をモニタリングする方法は、前記ウェラブルセンサのバッテリの電力を消耗してユーザの生体信号をモニタリングするステップと、インタラクション部との接続に応答して該インタラクション部から他の電力を受信するステップと、を有する。
【０００８】
前記モニタリング方法は、前記インタラクション部との接続に応答して、前記ウェラブルセンサによってモニタリングされた生体信号を前記インタラクション部に送信するステップを更に含み得る。
前記生体信号をモニタリングするステップは、所定の電力閾値よりも少ない電力を消耗する処理部を介して前記生体信号を処理するステップを含み得る。
前記生体信号をモニタリングするステップは、所定の電力閾値よりも少ない電力を消耗する通信部を介して前記生体信号に関するデータを送信するステップを含み得る。
前記モニタリング方法は、前記ウェラブルセンサの充電残量が所定の残量閾値よりも少ないとの検出に応答して、ユーザに充電関連情報を提供するステップを更に含み得る。
【０００９】
上記目的を達成するためになされた本発明の一態様によるインタラクション部による生体信号をモニタリングする方法は、ウェラブルセンサとの接続に応答して該ウェラブルセンサから前記生体信号を受信するステップと、前記受信された生体信号を処理するステップと、前記ウェラブルセンサとの接続に応答して該ウェラブルセンサに電力を供給するステップと、を有する。
【００１０】
前記受信された生体信号を処理するステップは、生体信号に関する演算に要求される処理速度が所定の閾値速度より速い場合、及び前記生体信号に関する演算に要求されるメモリが所定の閾値メモリよりも大きい場合のうちの少なくとも１つに応答して動作する処理部を介して前記受信された生体信号を処理するステップを含み得る。
前記受信された生体信号を処理するステップは、所定の閾値データ率よりも高いデータ率でデータを送信する通信部を介して前記生体信号を処理した結果を送信するステップを含み得る。
【発明の効果】
【００１１】
本発明のウェラブル装置によると、ウェラブルセンサを更に高性能な機能を提供するインタラクション部から分離することによって、ウェラブルセンサがユーザの生体信号をモニタリングする間にインタラクション部のバッテリを充電することができ、ウェラブルセンサの低容量バッテリが完全に放電される前にウェラブルセンサにインタラクション部を接続することでウェラブルセンサの低容量バッテリを充電し、これにより生体信号を常にモニタリングすることができ、ユーザに昼間時間又は夜時間などのそれぞれの状況に応じた適切な性能のサービスを２４時間提供することができる。
【図面の簡単な説明】
【００１２】
【図１】一実施形態による生体信号をモニタリングするウェラブル装置の概略的な構成を示すブロック図である。
【図２】一実施形態による生体信号をモニタリングするウェラブル装置の構造を概略的に示す図である。
【図３】一実施形態による生体信号をモニタリングするウェラブル装置の構造を概略的に示す図である。
【図４】一実施形態による生体信号をモニタリングするウェラブル装置の一例を示す図である。
【図５】一実施形態による生体信号をモニタリングするウェラブル装置の一例を示す図である。
【図６】一実施形態による生体信号をモニタリングするウェラブル装置の細部構成を示すブロック図である。
【図７】他の実施形態によるインタラクション部の構成を示すブロック図である。
【図８】一実施形態によるウェラブル装置の電力を管理する方法を示すフローチャートである。
【図９】一実施形態によるウェラブルセンサによる生体信号をモニタリングする方法を示すフローチャートである。
【図１０】一実施形態によるインタラクション部による生体信号をモニタリングする方法を示すフローチャートである。
【発明を実施するための形態】
【００１３】
以下、本発明を実施するための形態の具体例を、図面を参照しながら詳細に説明する。
【００１４】
図１は、一実施形態による生体信号をモニタリングするウェラブル装置の概略的な構成を示すブロック図である。
【００１５】
本明細書において、ウェラブル装置１００は、人の身体の少なくとも一部に直接的又は間接的に装着される電気装置を示す。例えば、身体の少なくとも一部に直接的に装着されるウェラブルデバイスはスマートウォッチ及びスマートバンドなどを含む。間接的に装着されるウェラブルデバイスは人の衣服などに装着される。
【００１６】
例えば、ウェラブル装置１００は、人の生体信号をセンシングし、スマートウォッチのような様々なプロダクトの形態で具現され、健康分野及びエンターテイメント分野のような様々な分野で用いられる。但し、プロダクト及び分野を上述したものに限定することなく、ウェラブル装置１００は、電話機、タブレット、又はＰＭＰ（Ｐｅｒｓｏｎａｌ  Ｍｅｄｉａ  Ｐｌａｙｅｒ）の形態であってもよい。同様に、ウェラブル装置１００は、スポーツ分野又は研究分野のような他の分野で用いられる。一方、ウェラブル装置１００は、フォームファクター及び使用時間が問題となることがある。
【００１７】
例えば、ウェラブル装置１００は、人の身体に装着する電気装置であるため、従来におけるハンドヘルド装置（ｈａｎｄｈｅｌｄ  ｄｅｖｉｃｅ）よりも小さくて軽いフォームファクターが要求される。ここで、ウェラブル装置１００は、使用の利便性及び連続的な生体信号のセンシング機能のために１回の充電に対して長時間の使用が要求される。従って、ウェラブル装置１００は、ハンドヘルド装置に比べて更に小さいフォームファクター（例えば、空間）でより長い使用時間を確保する必要がある。
【００１８】
小さいフォームファクターに対して長い使用時間を確保するためには、バッテリ密度を増大させるか又は電力消耗を低減させる必要がある。ここで、リチウムイオン（Ｌｉ−ｉｏｎ）に対するバッテリ密度の増大は物理化学的な限界により技術的に最大密度に達した状態である。従って、電力消耗を低減させる方式が要求される。但し、信号処理、通信、ディスプレイ、振動モータなどの機能を搭載したウェラブル装置１００のコンポーネント毎に基本的に必要な消耗電力があることから、電力消耗の低減も限界がある。
【００１９】
本実施形態による生体信号をモニタリングするウェラブル装置１００は、ユーザの生体信号を連続的にセンシングするためのウェラブルセンサ１１０、及びユーザとインタラクションを行うためのインタラクション部１２０を含み、ウェラブルセンサ１１０及びインタラクション部１２０を物理的に分離することでウェラブル装置１００の全体的な使用時間を増大させる。但し、これは単なる例示であって、ウェラブルセンサ１１０及びインタラクション部１２０を結合してもよい。
【００２０】
ウェラブルセンサ１１０及びインタラクション部１２０が物理的に分離された場合を例に挙げると、ウェラブルセンサ１１０は、使用目的（例えば、医療、ヘルス分野で患者モニタリングなど）に応じてユーザの生体信号を２４時間モニタリングしなければならない場合がある。ウェラブルセンサ１１０は、常にユーザの身体の一部に着用されて動作しなければならない一方、インタラクション部１２０は、ユーザの要求に応じてユーザの所望する時間に動作が要求される。この場合、ウェラブルセンサ１１０の電力消耗は、インタラクション部１２０に比べて極めて少ない。ウェラブルセンサ１１０における生体信号の処理には数Ｈｚ〜数百Ｈｚの処理速度が用いられるが、インタラクション部１２０におけるインタラクションのための時刻情報などを処理するためには、数十ＭＨｚ〜数百ＭＨｚの処理速度が必要である。
【００２１】
下記の表１のように、例えばウェラブルセンサ１１０の電力消耗量は１０ｍＷ未満に構成され、インタラクション部１２０の電力消費量は１００ｍＷ超過に構成される。但し、これに限定することなく、各装置の電力消耗量は設計に応じて変更される。
【００２２】
【表１】
2016077879.tif 000003
【００２３】
例えば、ウェラブル装置１００はバンド状に構成され、ウェラブルセンサ１１０はユーザの生体信号をモニタリングするためのセンサを含み、インタラクション部１２０は、ユーザとインタラクションするためのＵＩ（Ｕｓｅｒ  Ｉｎｔｅｒｆａｃｅ）を、ディスプレイを介して提供する。以下、生体信号をモニタリングするウェラブル装置１００の具体的な構成及び動作を詳細に説明する。
【００２４】
図２及び図３は、一実施形態による生体信号をモニタリングするウェラブル装置の構造を概略的に示す図である。
【００２５】
生体信号をモニタリングするウェラブル装置は、ユーザの身体の少なくとも一部に装着される形態で構成される。例えば、ウェラブル装置の形態は、バンド、時計、ネックレス、ベルトなどの形態である。例えば、図２及び図３は、バンド状のウェラブルセンサ２１０と、ウェラブルセンサ２１０に着脱自在なインタラクション部２２０で構成されたウェラブル装置の一例を示す。
【００２６】
図２はバンド状のウェラブル装置の横面、図３はバンド状のウェラブル装置の上面を示す。図２及び図３に示すように、ユーザの生体信号をモニタリングする機能と、ユーザとのインタラクションを行う機能とがモジュール単位で物理的に分離される。例えば、ウェラブルセンサ２１０はバンド状の装着部２１９に実装されたセンサを含み、インタラクション部２２０はウェラブルセンサ２１０に対して着脱自在に構成される。ユーザは必要に応じてウェラブルセンサ２１０にインタラクション部２２０を取付けるか又は分離してウェラブル装置を装着する。
【００２７】
ここで、装着部２１９は、ユーザの身体にウェラブルセンサを装着する。例えば、装着部２１９は、上述したようなバンド、時計、ネックレス、ベルトなどの形態に応じて身体にウェラブルセンサを装着する。
【００２８】
本実施形態によると、バンド状のウェラブルセンサ２１０がリアルタイムに生体信号をセンシングする。また、ウェラブルセンサ２１０とインタラクション部２２０との分離によって、ウェラブルセンサ２１０がユーザの生体信号をモニタリングする間にもインタラクション部２２０のバッテリをリアルタイムに充電することができる。
【００２９】
また、一例として、複数タイプのセンサのうちの少なくとも１つを含むそれぞれ異なる複数のウェラブルセンサ２１０のうちの１つをユーザが選択し、インタラクション部２２０と結合することでウェラブル装置を構成してもよい。他の例として、複数の形態及び機能などを有するそれぞれ異なる複数のインタラクション部２２０のうちの１つをユーザが選択し、ウェラブルセンサ２１０と結合することでウェラブル装置を構成してもよい。更なる例として、それぞれ異なる複数のインタラクション部２２０のうちの１つ及びそれぞれ異なる複数のウェラブルセンサ２１０のうちの１つをユーザが選択することで、ウェラブル装置を構成してもよい。
【００３０】
本実施形態によるウェラブル装置は、ウェラブルセンサ２１０とインタラクション部２２０を分離することで、各モジュールを独立的に運用する。また、ウェラブル装置は、ウェラブルセンサ２１０とインタラクション部２２０が相互に接続された場合、必要に応じて相互の資源を活用する。更に、ウェラブル装置において、ウェラブルセンサ２１０のバッテリをインタラクション部２２０のバッテリから充電することで、ウェラブルセンサ２１０の作動を常時（ａｌｗａｙｓ）可能にする。但し、これに限定されることなく、インタラクション部２２０のバッテリをウェラブルセンサ２１０のバッテリによって充電してもよい。
【００３１】
ウェラブルセンサ２１０及びインタラクション部２２０は、互いに着脱自在に接続されるが、これに限定されることなく、ウェラブルセンサ２１０及びインタラクション部２２０は単一ユニットに形成され得る。ウェラブルセンサ２１０及びインタラクション部２２０は、機械式構造及び磁石式構造などにより着脱自在に接続される。例えば、機械式構造は、ユーザの操作に応じて着脱自在に構成される接続構造などを含み、磁石式構造は、ウェラブルセンサ２１０及びインタラクション部２２０の電気的動作に影響を与えずに、ユーザの操作に応じて分離可能な磁力を有する磁石がウェラブルセンサ２１０及びインタラクション部２２０に取付けられた構造を含む。
【００３２】
本実施形態によると、ウェラブルセンサ２１０及びインタラクション部２２０が互いに接続された場合、ウェラブルセンサ２１０及びインタラクション部２２０の処理部及びバッテリの間に電気的な接続が形成される。
【００３３】
図４及び図５は、一実施形態による生体信号をモニタリングするウェラブル装置の一例を示す図である。
【００３４】
図４は、ユーザがウェラブルセンサ４１０で構成されるウェラブル装置を身体４０９の一部に装着した形状を図示し、図５は、ウェラブルセンサ４１０及びインタラクション部４２０で構成されるウェラブル装置を身体４０９の一部に装着した形状を示す。
【００３５】
例えば、図４において、ウェラブルセンサ４１０だけで構成されたウェラブル装置を薄いバンド状のように図示する。ここで、ウェラブルセンサ４１０は、バンド状の装着部４１９に結合されるように構成される。ウェラブル装置はバンド状の装着部４１９を用いてユーザの身体４０９の一部（例えば、ユーザの手首）に装着される。
【００３６】
図５では、図４に示すウェラブル装置がインタラクション部４２０を追加的に含む。例えば、インタラクション部４２０は図４に示したバンド状のウェラブルセンサ４１０の上端部に接続され、インタラクション部４２０は、ディスプレイ、カメラなどを用いてマルチメディアサービスを提供する。また、インタラクション部４２０は、ウェラブルセンサ４１０で検出されたユーザの生体信号に基づくサービスを提供する。
【００３７】
図６は、一実施形態による生体信号をモニタリングするウェラブル装置の細部構成を示すブロック図である。
【００３８】
生体信号をモニタリングするウェラブル装置６００は、ウェラブルセンサ６１０及びインタラクション部６２０を含む。
【００３９】
ウェラブルセンサ６１０は、センサ６１１、第１処理部６１２、第１通信部６１３、及び第１バッテリ６１４を含む。インタラクション部６２０は、インタフェース６２１、ディスプレイ６２２、第２処理部６２３、第２通信部６２４、及び第２バッテリ６２５を含む。
【００４０】
ウェラブルセンサ６１０は、ユーザの生体信号をモニタリングする。ウェラブルセンサ６１０は、センサ６１１によってセンシングされるユーザの生体信号をリアルタイムにセンシングして処理及び格納する。ここで、ユーザの生体信号は、ユーザの生体電気信号（ＥｘＧ）（例えば、ＥＣＧ（ｅｌｅｃｔｒｏｃａｒｄｉｏｇｒａｍ）、ＥＥＧ（Ｅｌｅｃｔｒｏｅｎｃｅｐｈａｌｏｇｒａｍ）、ＥＭＧ（ｅｌｅｃｔｒｏｍｙｏｇｒａｐｈｙ）、ＥＯＧ（ｅｌｅｃｔｒｏｏｃｕｌｏｇｒａｍ）など）、生体光学信号、皮膚温度信号、生体インピーダンス信号、及び圧力信号（例えば、血圧、呼吸による胸廓の体面的な変化など）のうちの少なくとも１つを含む。
【００４１】
センサ６１１は、ユーザの生体信号をセンシングするように構成された電気素子及び電子素子などである。例えば、センサ６１１は、生体電気信号、生体光学信号、皮膚温度信号、生体インピーダンス信号、及び圧力信号のうちの少なくとも１つをセンシングするように構成される。
【００４２】
第１処理部６１２は、センサ６１１から検知された生体信号を処理する。例えば、第１処理部６１２は、検知された生体信号からノイズをフィルタリングし、生体信号を増幅するなどの前処理を行う。
【００４３】
本実施形態によると、第１処理部６１２は、低電力で動作しながら、上述した前処理などを行う。例えば、第１処理部６１２は、予め設定された第１電力閾値よりも少ない電力を消耗して生体信号を処理するように構成される。ここで、第１電力閾値は、第１処理部６１２が動作する電力を制限する限界値として、設計に応じて変更される。
【００４４】
第１通信部６１３は、生体信号に関するデータを外部機器に送信する。例えば、第１通信部６１３は、センサ６１１で検知された生体信号を直接外部機器に送信するか又は第１処理部６１２が生体信号を前処理した結果を外部機器に送信する。ここで、外部機器は、ウェラブル装置６００と独立した別の電子機器であってもよいが、これに限定することなく、インタラクション部６２０であってもよい。
【００４５】
本実施形態によると、第１通信部６１３は、低電力で動作しながら、上述したように生体信号に関するデータを外部機器に送信する。例えば、第１通信部６１３は、予め設定された第２電力閾値よりも少ない電力を消耗して生体信号に関するデータを送信するように構成される。ここで、第２電力閾値は、第１通信部６１３が動作する電力を制限する限界値として、設計に応じて変更される。
【００４６】
例えば、第１通信部６１３は、超低電力通信方式又はＢＬＥ（Ｂｌｕｅｔｏｏｔｈ（登録商標）  Ｌｏｗ  Ｅｎｅｒｇｙ）などの方式を用いて生体信号に関するデータを外部機器に送信する。但し、第１通信部６１３の通信方式は、上述した内容に限定されることなく、低電力通信方式（例えば、予め設定された第２電力閾値よりも少ない電力を消耗する全ての通信方式）が適用され得る。
【００４７】
例えば、ウェラブルセンサ６１０は、センサ６１１、第１処理部６１２、及び第１通信部６１３のそれぞれの電力消費量の総合が、上述した表１で説明したように、１０ｍＷ未満になるように構成される。
【００４８】
第１バッテリ６１４は、ウェラブル装置６００を動作させるための電力を提供する。第１バッテリ６１４は、外部から受信した電力によって充電される。例えば、第１バッテリ６１４は、インタラクション部６２０との接続に応答して、インタラクション部６２０から第１バッテリ６１４を充電するための電力を受信するが、これに限定されることはない。例えば、第１バッテリ６１４は、ユーザの動きによって充電される。ここで、第１バッテリ６１４は、低容量バッテリである。例えば、第１バッテリ６１４には、ウェラブルセンサ６１０が所定時間（例えば、２４時間）以上動作する電力量が充電される。
【００４９】
本実施形態によると、ウェラブルセンサ６１０は、第１バッテリ６１４に充電された電力量が足りないとの判断に応答して、ユーザに充電関連情報を提供する。例えば、ウェラブルセンサ６１０は、第１バッテリ６１４の残量が予め設定された残量閾値よりも少ないとの検出に応答して、ユーザに充電関連情報を提供する。ウェラブルセンサ６１０は、第１通信部６１３を介して充電関連情報を外部機器に送信するか又は別途の内装出力装置（例えば、スピーカなど）によって充電関連情報がユーザに提供される。
【００５０】
ここで、第１バッテリ６１４の残量は現在のバッテリに充電された電力量を示し、予め設定された残量閾値はウェラブルセンサ６１０が動作できない程の電力量を示す。充電関連情報は、第１バッテリ６１４の残量、作動可能時間などに関する情報を含む。
【００５１】
インタラクション部６２０は、ユーザとインタラクション動作を行う。例えば、インタラクション部６２０は、ウェラブルセンサ６１０から検知された生体信号に基づくインタラクション動作を提供する。本実施形態によると、インタラクション部６２０は、ウェラブルセンサ６１０と着脱自在であり、ウェラブルセンサ６１０との接続に応答して、ウェラブルセンサ６１０に電力を供給する。
【００５２】
本明細書で、インタラクション動作は、ユーザの制御、行為、状態、及び感情などに応答して提供される予め設定された動作を示す。例えば、インタラクション部６２０は、ウェラブルセンサ６１０から検知された生体信号に基づいてユーザの睡眠状態（例えば、睡眠サイクル）を確認し、ユーザの睡眠状態が起床するのに適するとの判断に応答して、アラーム音などを再生するインタラクション動作を行う。但し、インタラクション動作は、上述した内容に限定されることなく、設計に応じてユーザの制御、行為、状態、及び感情などに対して適切に決定される。
【００５３】
インタフェース６２１はユーザからの入力を受信するように構成され、ディスプレイ６２２は、入力に応答してユーザにユーザとのインタラクションに関する情報を提供（例えば、画面に表示）するように構成される。図６では、インタフェース６２１及びディスプレイ６２２を別の構成として図示するが、これに限定されることなく、インタフェース６２１及びディスプレイ６２２は、一体のモジュール（例えば、タッチスクリーン）で構成され得る。
【００５４】
第２処理部６２３は、ウェラブルセンサ６１０によって検知された生体信号を受信して処理する。例えば、インタラクション部６２０は、第２処理部６２３を介し、ウェラブルセンサ６１０との接続に応答して、ウェラブルセンサ６１０によってモニタリングされた生体信号を処理し、生体信号が処理された結果をユーザに提供する。
【００５５】
本実施形態によると、第２処理部６２３は、高性能に動作しながら、ウェラブルセンサ６１０に代替して、生体信号に対して電力消費量の大きい複雑な算出を行う。例えば、第２処理部６２３は、予め設定された閾値速度よりも速い処理速度で動作するように構成される。ここで、処理速度は第２処理部６２３がデータを処理する速度を示し、予め設定された閾値速度は、第２処理部６２３の最低の速度性能を制限する値として、設計に応じて変更される。また、第２処理部６２３は、予め設定された閾値メモリよりも大きいメモリが要求される演算を処理するように構成される。ここで、閾値メモリは、第１処理部６１２のメモリのサイズよりも大きく、第２処理部６２３のメモリのサイズよりも小さいか同じである。
【００５６】
また、第２処理部６２３は、生体信号に関する演算に要求される処理速度が予め設定された閾値速度よりも速い場合、及び演算に要求されるメモリが閾値メモリよりも大きい場合のうちの少なくとも１つに応答して動作するように構成される。
【００５７】
第２通信部６２４は、生体信号に関するデータを外部機器に送信する。例えば、第２通信部６２４は、ウェラブルセンサ６１０から受信した生体信号に関するデータと第１処理部６１２が生体信号を処理した結果を外部機器に送信するか、又は第２処理部６２３が生体信号を処理した結果を外部機器に送信する。また、第２通信部６２４は、インタラクション部６２０で処理されたデータを第２処理部６２３の制御に応じて外部機器に送信するか又は外部機器から必要な情報を受信する。
【００５８】
本実施形態によると、第２通信部６２４は、高性能に動作しながら、上述したように生体信号に関するデータを外部機器に送信するか又は外部機器から必要な情報を受信する。例えば、第２通信部６２４は、予め設定された閾値データ率よりも高いデータ率でデータを送信するように構成される。ここで、閾値データ率は、第２通信部６２４の最低通信速度を制限する値として設計に応じて変更される。
【００５９】
例えば、第２通信部６２４は、Ｗｉ−Ｆｉ、ブルートゥース（登録商標）などの方式を用いてデータを送受信する。但し、第２通信部６２４の通信方式は、上述した内容に限定されることなく、高性能通信方式（例えば、予め設定された閾値データ率よりも高いデータ率でデータを送受信する全ての通信方式）が適用され得る。
【００６０】
第２バッテリ６２５は、インタラクション部６２０を動作させるための電力を提供する。第２バッテリ６２５は、外部から受信した電力によって充電されるが、これに限定されることはない。例えば、第２バッテリ６２５は、ウェラブルセンサ６１０から受信した電力、又はウェラブル装置１００を着用したユーザの動きで充電される。第２バッテリ６２５は、ウェラブルセンサ６１０との接続に応答して、ウェラブルセンサ６１０を充電するために第２バッテリ６２５の電力をウェラブルセンサ６１０の第１バッテリ６１４に提供する。ここで、第２バッテリ６２５は、大容量バッテリを含む。例えば、第２バッテリ６２５には、インタラクション部６２０が所定時間（例えば、１２時間）以上動作する電力量が充電される。
【００６１】
本実施形態によると、ウェラブルセンサ６１０及びインタラクション部６２０は、それぞれ独立的に運用されるが、これに限定されることはない。例えば、ウェラブルセンサ６１０及びインタラクション部６２０が２つとも共通に運用される。例えば、ウェラブルセンサ６１０及びインタラクション部６２０は、外部機器と通信するための第１通信部６１３及び第２通信部６２４と第１バッテリ６１４及び第２バッテリ６２５をそれぞれ図６に示すように内蔵する。
【００６２】
ウェラブルセンサ６１０及びインタラクション部６２０が互いに接続されると、ウェラブルセンサ６１０とインタラクション部６２０との間に、各モジュールに内蔵された第１処理部６１２と第２処理部６２３との間のデータインタフェースが形成される。ウェラブルセンサ６１０は、インタラクション部６２０との接続に応答して、高い仕様のインタラクション部６２０のリソース（例えば、高性能の第２処理部６２３）を活用して生体信号を処理する。例えば、ウェラブルセンサ６１０が生体信号としてＥＣＧ信号をセンシングする場合、フィルタリングなどの前処理はウェラブルセンサ６１０の第１処理部６１２が行い、以後の複雑な算出は、インタラクション部６２０の第２処理部６２３が行う。例えば、複雑な算出は、特徴抽出、特徴分類などの高い複雑度を有する算出を含む。
【００６３】
また、ウェラブル装置６００は、外部機器との通信についても、ウェラブルセンサ６１０に内蔵された制限されたバンド幅を有する低電力の第１通信部６１３の代わりに、インタラクション部６２０の高性能の第２通信部６２４を活用することができるが、これに限定されることはない。例えば、ウェラブル装置６００は、低電力の第１通信部６１３又は両通信部の組合せを活用する。
【００６４】
図７は、他の実施形態によるインタラクション部の構成を示すブロック図である。
【００６５】
インタラクション部７２０は、ディスプレイ／インタフェース７２１、振動モータ７２２、カメラ７２３、高性能処理部７２４、高性能通信部７２５、及び大容量バッテリ７２６を含む。ここで、高性能処理部７２４は図６に示す第２処理部６２３、高性能通信部７２５は図６に示す第２通信部６２４、大容量バッテリ７２６は図６に示す第２バッテリ６２５と同様に構成される。インタラクション部７２０に着脱自在なウェラブルセンサは、図６に示すウェラブルセンサ６１０と同様に構成される。また、図７は、ディスプレイ／インタフェース７２１、振動モータ７２２、カメラ７２３、高性能処理部７２４、高性能通信部７２５、及び大容量バッテリ７２６がインタラクション部７２０に含まれるものとして図示するが、上述した構成のうちの１つ以上が独立的なハードウェアとして具現され得る。
【００６６】
ディスプレイ／インタフェース７２１は、図６に示すディスプレイ６２１及びディスプレイ６２２の機能を統合的に提供する。例えば、ディスプレイ／インタフェース７２１はタッチスクリーンを含む。
【００６７】
振動モータ７２２及びカメラ７２３は、ユーザにユーザの行為などに応答するインタラクションを提供する。例えば、振動モータ７２２は、ユーザの行為に対する高性能処理部７２４の制御に基づいてユーザに振動を提供する。カメラ７２３は、ユーザの行為に対する高性能処理部７２４の制御に応答して、ユーザに写真撮影、映像録画機能などを提供する。但し、インタラクションを提供するモジュールを振動モータ７２２及びカメラ７２３などに限定することなく、インタラクションを提供するモジュールは、ユーザの音声を録音するマイク（図示せず）及びユーザに音を提供するスピーカ（図示せず）などの様々な装置を含んでもよい。
【００６８】
ウェラブルセンサは、生体信号を常に測定しなければならないことから、最大限長時間ユーザに装着される必要がある。本実施形態によると、インタラクション部７２０の大容量バッテリ７２６がウェラブルセンサの低容量バッテリ（例えば、図６に示す第１バッテリ６１４）を充電することで、ウェラブルセンサの使用時間が延長される。
【００６９】
例えば、ウェラブルセンサが単独に用いられる場合、ウェラブルセンサに内蔵された低容量バッテリを用いて低容量バッテリが放電される前に、インタラクション部７２０をウェラブルセンサに結合する。その後、インタラクション部７２０の大容量バッテリ７２６によってウェラブルセンサ及びインタラクション部を含むウェラブル装置全体を動作させ、同時にウェラブルセンサの低容量バッテリを充電する。ユーザの必要又は大容量バッテリ７２６の放電に応じてインタラクション部７２０がウェラブルセンサから除去されると、ウェラブルセンサはその間に充電された低容量バッテリを用いて次に生体信号をセンシングする。
【００７０】
上述したように、ウェラブルセンサの低容量バッテリが完全に放電される前にウェラブルセンサにインタラクション部７２０を接続することで、ウェラブル装置は生体信号を常にモニタリングすることができる。
【００７１】
図８は、一実施形態によるウェラブル装置の電力を管理する方法を示すフローチャートである。
【００７２】
先ず、ステップＳ８１０において、ウェラブルセンサがインタラクション部に接続されたか否かをウェラブルセンサの第１処理部が判断する。例えば、第１処理部は、インタラクション部の第２処理部とデータインタフェースが形成されたか否かを検出する。但し、これに限定されることなく、第１処理部又は第２処理部がウェラブルセンサ及びインタラクション部が接続されたか否かを電気的、電子的、及び機械的方式によって判断してもよい。
【００７３】
例えば、電気的方式はウェラブルセンサ及びインタラクション部との接続に応答して発生する特定の電気信号を検出する方式を、電子的方式は上述した接続に応答して各処理部間にデータインタフェースが形成されたか否かを検出する方式を、機械的方式は上述した接続に応答して機械的スイッチなどがオン／オフ転換される方式をそれぞれ含む。
【００７４】
そして、ウェラブルセンサがインタラクション部に接続された場合、ステップＳ８２０において、ウェラブルセンサの第１処理部がインタラクション部に充電を要求する。例えば、第１処理部は、インタラクション部の第２処理部に充電を要求する信号を送信する。
【００７５】
続いて、ステップＳ８３０において、ウェラブルセンサの第１バッテリがインタラクション部から受信する電力でバッテリを充電する。第２処理部は、第１処理部による充電要求に応答して、第２バッテリが第１バッテリに電力を提供するように第２バッテリを制御する。ウェラブルセンサとインタラクション部との間の接続に応答して形成された電気的接続により、第２バッテリは第１バッテリに電力を送信する。第１バッテリは、受信した電力を用いて充電される。例えば、第１バッテリは、切り離されるまで充電される。
【００７６】
一方、ウェラブルセンサがインタラクション部に接続されない場合、ステップＳ８４０において、ウェラブルセンサの第１処理部は、バッテリ残量をチェックする。インタラクション部に接続されないウェラブルセンサは、自体のバッテリ（例えば、第１バッテリ）だけで動作しながら、第１バッテリの残量を継続的にチェックする。例えば、ウェラブルセンサは、予め設定された周期毎に第１バッテリの残量をチェックする。
【００７７】
続いて、ステップＳ８５０において、ウェラブルセンサの第１処理部はバッテリ残量が閾値残量よりも小さいか否かを判断する。ここで、閾値残量は、図６において予め設定された残量閾値である。第１処理部は、バッテリ残量が予め設定された残量閾値よりも小さい場合、第１バッテリの電力がウェラブルセンサを動作させるのに足りないと判断する。ここで、バッテリ残量が閾値残量よりも小さくない場合、第１処理部は、ステップＳ８４０に戻ってバッテリ残量を継続してチェックする。
【００７８】
そして、ステップＳ８６０において、ウェラブルセンサの第１処理部がユーザにウェラブルセンサを充電せよとの要求を送信する。例えば、第１処理部は、ユーザに充電関連情報を提供する。第１処理部は、ユーザに直接的に充電関連情報を提供（例えば、充電せよとの意味を示す警告音を発生）するか又は第１通信部を介して外部機器で充電関連情報を提供する。第１通信部を介して外部機器に充電関連情報が提供される場合、外部機器が充電関連情報に基づいてユーザに充電を要求する。
【００７９】
本実施形態によると、昼間時間にはウェラブルセンサとインタラクション部を着用し、夜時間にはウェラブルセンサのみを着用する。例示的なシナリオを下記の表２に示す。
【００８０】
【表２】
2016077879.tif 000004
【００８１】
上述した表２のように、例えば、昼間時間の間、ユーザはウェラブルセンサとインタラクション部で構成されるバンド状のウェラブル装置を着用し、ウェラブル装置は可能な全てのサービスを提供する。ここで、ウェラブル装置全体の電力はインタラクション部の第２バッテリが提供される。
【００８２】
その後、帰り及び就寝のための夜時間の間、ユーザは、インタラクション部をウェラブルセンサから除去し、別途の充電機器によってインタラクション部を充電する。そのときからウェラブルセンサは、自体の第１バッテリで動作しながら生体信号をモニタリングする。夜時間の間のウェラブルセンサは、ユーザの生体信号をモニタリングし、モニタリングされた生体信号に関する情報を格納する。
【００８３】
再び昼間時間になると、ユーザは、夜時間の間に切り離されたインタラクション部をウェラブルセンサに接続し、夜時間の間に電力が消耗したウェラブルセンサの第１バッテリをインタラクション部の第２バッテリを用いて充電する。ここで、ウェラブル装置全体の動作のための電力には、インタラクション部の第２バッテリが提供される。
【００８４】
上述したように、本実施形態によるウェラブル装置は、ユーザにそれぞれの状況に応じた適切なサービスを２４時間提供することができる。
【００８５】
図９は、一実施形態によるウェラブルセンサによる生体信号をモニタリングする方法を示すフローチャートである。
【００８６】
先ず、ステップＳ９１０において、ウェラブルセンサが低電力で生体信号をモニタリングする。例えば、ウェラブルセンサは、センサを用いて生体信号をセンシングし、検知された生体信号を第１電力閾値よりも少ない電力を消耗する第１処理部を介して処理する。
【００８７】
そして、ステップＳ９２０において、ウェラブルセンサが低電力で生体信号に関するデータを送信する。例えば、ウェラブルセンサは、第２電力閾値よりも少ない電力を消耗する第１通信部を介して生体信号に関するデータを外部機器に送信する。
【００８８】
続いて、ステップＳ９３０において、ウェラブルセンサがインタラクション部に接続されたか否かを判断する。ここで、ウェラブルセンサがインタラクション部に接続されないと判断した場合、ウェラブルセンサは、ステップＳ９１０に戻って生体信号のモニタリングを継続する。
【００８９】
そして、ステップＳ９４０において、ウェラブルセンサがインタラクション部に接続されたとの判断に応答してインタラクション部から電力を受信する。例えば、ウェラブルセンサは、ウェラブルセンサとインタラクション部が接続された場合、インタラクション部の第２バッテリから電力を受信してウェラブルセンサの第１バッテリを充電する。
【００９０】
また、ステップＳ９５０において、ウェラブルセンサがインタラクション部に接続されたとの判断に応答して、生体信号をインタラクション部に送信する。例えば、ウェラブルセンサは、ウェラブルセンサとインタラクション部が接続された場合、生体信号及び生体信号に関するデータなどをインタラクション部に送信する。
【００９１】
但し、上述した図９は、一実施形態によるウェラブルセンサの動作の一例であって、これに限定されることなく、図９に示すステップは、上述した図１〜図８を参照して説明した動作と設計に応じて結合され得る。
【００９２】
図１０は、一実施形態によるインタラクション部による生体信号をモニタリングする方法を示すフローチャートである。
【００９３】
先ず、ステップＳ１０１０において、インタラクション部がウェラブルセンサに接続されたか否かを判断する。ウェラブルセンサに接続される前に、インタラクション部の第２バッテリが外部から受信した電力によって充電される。
【００９４】
そして、ステップＳ１０２０において、インタラクション部は、ウェラブルセンサとの接続に応答して生体信号を受信する。例えば、インタラクション部は、ウェラブルセンサの第１処理部とインタラクション部の第２処理部との間に形成されるデータインタフェースを介して生体信号を受信する。また、インタラクション部は、ウェラブルセンサの第１通信部から送信された生体信号をインタラクション部の第２通信部を介して受信する。但し、インタラクション部の生体信号受信方式及び受信経路は上述した内容に限定されることはない。
【００９５】
続いて、ステップＳ１０３０において、インタラクション部は、受信した生体信号を高性能に処理する。例えば、インタラクション部は、予め設定された閾値速度よりも速い処理速度で動作する第２処理部を介して、受信した生体信号を処理する。
【００９６】
そして、ステップＳ１０４０において、インタラクション部は、生体信号を処理した結果を高性能に送信する。例えば、インタラクション部は、予め設定された閾値データ率よりも高いデータ率でデータを送信するように構成された第２通信部を介して、生体信号を処理した結果を送信する。
【００９７】
また、ステップＳ１０５０において、インタラクション部は、ウェラブルセンサとの接続に応答して、ウェラブルセンサに電力を供給する。例えば、インタラクション部は、ウェラブルセンサの第１バッテリとインタラクション部の第２バッテリとの間に形成される電気的接続によって、第１バッテリに第２バッテリの電力を供給する。但し、接続を電気的接続に限定することなく、磁気的接続のような他のタイプの接続を、電力を供給するために用いてもよい。ここで、第１バッテリは、第２バッテリの電力によって充電される。
【００９８】
以上で説明した装置は、ハードウェア構成要素、ソフトウェア構成要素、及び／又はハードウェア構成要素及びソフトウェア構成要素の組合せで具現される。例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサー、又は命令（ｉｎｓｔｒｕｃｔｉｏｎ）を実行して応答する異なる装置のように１つ以上の汎用コンピュータ若しくは特殊目的のコンピュータを用いて具現される。処理装置は、オペレーティングシステム（ＯＳ）及びオペレーティングシステム上で実行される１つ以上のソフトウェアアプリケーションを実行する。また、処理装置は、ソフトウェアの実行に応答してデータをアクセス、格納、操作、処理、及び生成する。理解の便宜のために、処理装置は１つ使用されるものとして説明する場合もあるが、当該技術分野で通常の知識を有する者は、処理装置が複数の処理要素（ｐｒｏｃｅｓｓｉｎｇ  ｅｌｅｍｅｎｔ）及び／又は複数類型の処理要素を含むことが分かる。例えば、処理装置は、複数のプロセッサ又は１つのプロセッサ及び１つのコントローラを含む。また、並列プロセッサ（ｐａｒａｌｌｅｌ  ｐｒｏｃｅｓｓｏｒ）のような、他の処理構成も可能である。
【００９９】
ソフトウェアは、コンピュータプログラム、コード、命令、又はこれらのうちの１つ以上の組合せを含み、希望通りに動作するように処理装置を構成するか又は独立的若しくは結合的に処理装置を命令する。ソフトウェア及び／又はデータは、処理装置によって解釈されるか又は処理装置に命令又はデータを提供するために全ての類型の機械、構成要素、物理的装置、仮想装置、コンピュータ格納媒体又は装置、送信される信号波を介して永久的又は一時的に具現化される。ソフトウェアは、ネットワークに接続されたコンピュータシステム上に分散され、分散された方法で格納されるか又は実行される。ソフトウェア及びデータは１つ以上のコンピュータ読み取り可能な記録媒体に格納される。
【０１００】
本発明の実施形態による方法は、多様なコンピュータ手段を介して様々な処理を実行するプログラム命令の形態で具現され、コンピュータ読み取り可能な記録媒体に記録される。コンピュータ読み取り可能な記録媒体は、プログラム命令、データファイル、データ構造などのうちの１つ又はその組合せを含む。記録媒体に記録されるプログラム命令は、本発明の目的のために特別に設計されて構成されたものでもよく、コンピュータソフトウェア分野の技術を有する当業者にとって公知のものであり、使用可能なものであってもよい。コンピュータ読み取り可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれる。プログラム命令の例には、コンパイラによって作られるような機械語コードだけでなく、インタープリタなどを用いてコンピュータによって実行される高級言語コードが含まれる。ハードウェア装置は、本発明の動作を行うために１つ以上のソフトウェアモジュールとして動作するように構成されてもよく、その逆も同様である。
【０１０１】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０１０２】
１００、６００    ウェラブル装置
１１０、２１０、４１０、６１０    ウェラブルセンサ
１２０、４２０、６２０    インタラクション部
２１９、４１９    装着部
２２０、７２０    インタラクション部
４０９    身体
６１１    センサ
６１２    第１処理部
６１３    第１通信部
６１４    第１バッテリ
６２１    インタフェース
６２２    ディスプレイ
６２３    第２処理部
６２４    第２通信部
６２５    第２バッテリ
７２１    ディスプレイ／インタフェース
７２２    振動モータ
７２３    カメラ
７２４    高性能処理部
７２５    高性能通信部
７２６    大容量バッテリ
【図１】
2016077879.tif 000005
【図２】
2016077879.tif 000006
【図３】
2016077879.tif 000007
【図４】
2016077879.tif 000008
【図５】
2016077879.tif 000009
【図６】
2016077879.tif 000010
【図７】
2016077879.tif 000011
【図８】
2016077879.tif 000012
【図９】
2016077879.tif 000013
【図１０】
2016077879.tif 000014